(57)【要約】【課題】多数の分包袋をまとめて収納した場合に、その分包袋を容易に取り出すことのできる包装箱を提供すること。【解決手段】前面パネル１４と背面パネルと左右の側面パネル１３とにより胴部が形成され、その胴部の上下に上部閉鎖部と下部閉鎖部とが形成され、上部閉鎖部の開封手段が設けられてなる包装箱であって、上部閉鎖部は少なくとも一方の側面パネル１３の上辺に連設する折込みフラップを備えており、その折込みフラップには一方の側面パネルに隣接する押込み部が区画されているとともに、一方の側面パネル１３には押込み部に繋がる破断領域１３ａが上辺から下辺に渡って区画されている。上部閉鎖部を開封することで出現する折込みフラップ上の押込み部から側面パネル１３の下部まで連続する開口を形成することができ、上部閉鎖部を閉じた状態にしてもその側面パネル１３の開口から中の内容物を容易に取り出すことができる。【選択図】図１
2015217973.tif 000002
【特許請求の範囲】
【請求項１】
前面パネルと背面パネルと左右の側面パネルとにより胴部が形成され、その胴部の上下に上部閉鎖部と下部閉鎖部とが形成され、上部閉鎖部の開封手段が設けられてなる包装箱であって、上部閉鎖部は少なくとも一方の側面パネルの上辺に連設する折込みフラップを備えており、その折込みフラップには一方の側面パネルに隣接する押込み部が区画されているとともに、一方の側面パネルには押込み部に繋がる破断領域が上辺から下辺に渡って区画されていることを特徴とする包装箱。
【発明の詳細な説明】
【技術分野】
【０００１】
本発明は、板紙からなる包装箱の技術分野に属し、主に分包された胃腸薬や風邪薬などの医薬品を始めとする種々の分包袋を多数収納して販売形態とする際に用いられる包装箱に関するものである。
【背景技術】
【０００２】
従来より、この種の包装箱として、直方体形状をした横置きタイプで、箱本体の上部に開閉可能な蓋を有するものが使われており、内容物として、粉状や粒状の医薬品などを封入した分包袋を多数まとめて収容している。そして、この包装箱は、最初に開封した後、蓋をそのつど開け閉めして分包袋を一つずつ取り出して使用するようになっている。
【先行技術文献】
【特許文献】
【０００３】
【特許文献１】特開２０１０−２５４３４８号公報
【特許文献２】実用新案登録第３１６１９１４号公報
【発明の概要】
【発明が解決しようとする課題】
【０００４】
上記タイプの包装箱では、充填工程の簡略化を図る上から、多数の分包袋を帯で束ねて一まとめにしたものを収納することが多い。そして、医薬品である場合には、折り畳まれた能書（使用説明書）を一緒に入れる必要があり、しかもこの能書は開封して中の分包袋を使用する前に必ず見られるようにするため、帯で束ねられた分包袋の上に被さるように入れられている。
【０００５】
したがって、医薬品を収納した包装箱では、開封して蓋を持ち上げた後、能書を取り出してからでないと、分包袋を取り出せないということになる。また、このタイプの包装箱では、開封した後で中の分包袋を取り出す際に、蓋をその都度開け閉めしなければならないという問題は避けられず、この点については医薬品以外の分包袋を収納した場合でも同様のことが言える。
【０００６】
本発明は、このような問題点に鑑みてなされたものであり、その目的とするところは、多数の分包袋をまとめて収納した場合に、その分包袋を容易に取り出すことのできる包装箱を提供することにある。
【課題を解決するための手段】
【０００７】
上記の目的を達成するため、本発明の包装箱は、前面パネルと背面パネルと左右の側面パネルとにより胴部が形成され、その胴部の上下に上部閉鎖部と下部閉鎖部とが形成され、上部閉鎖部の開封手段が設けられてなる包装箱であって、上部閉鎖部は少なくとも一方の側面パネルの上辺に連設する折込みフラップを備えており、その折込みフラップには一方の側面パネルに隣接する押込み部が区画されているとともに、一方の側面パネルには押込み部に繋がる破断領域が上辺から下辺に渡って区画されていることを特徴とする。
【発明の効果】
【０００８】
本発明の包装箱は、上部閉鎖部を開封することで出現する折込みフラップ上の押込み部から側面パネルの下部まで連続する開口を形成することができ、上部閉鎖部を閉じた状態にしてもその側面パネルの開口から中の内容物を容易に取り出すことができる。そして、側面パネルに破断領域を設けてはいるが、上部閉鎖部を開けからでないとこの破断領域を開けることができないので、店頭での陳列時にいたずらされることがなく安全である。
【図面の簡単な説明】
【０００９】
【図１】本発明に係る包装箱の一例を示す斜視図である。
【図２】図１の包装箱を組み立てるブランクの展開図である。
【図３】図１の包装箱を開封した状態で示す斜視図である。
【図４】図１の包装箱の使用形態を示す斜視図である。
【図５】図４の包装箱から分包袋を取り出す形態を示す斜視図である。
【発明を実施するための形態】
【００１０】
次に、本発明の実施形態について図面を参照しながら詳細に説明する。
【００１１】
図１は本発明に係る包装箱の一例を示すものであり、この包装箱は、外観が横置きタイプの直方体形状で、粉状や粒状の医薬品を封入した２連の分包袋を多数収納しており、図２にその展開図を示すブランクを組み立てて形成される。
【００１２】
図２のブランクは、紙器用の板紙を打ち抜いて作成したものであり、図示のように、折線ａ，ｂ，ｃ，ｄを介して糊代フラップ１１、背面パネル１２、側面パネル１３、前面パネル１４、側面パネル１５が順次連設されている。背面パネル１２の下辺には折線ｅを介して底面パネル１６が連設され、上辺には折線ｆを介して上面パネル１７が連設され、さらにその上面パネル１７には折線ｇを介して先端フラップ１８が連設されており、側面パネル１３の下辺には折線ｈを介して折込みフラップ１９が連設され、上辺には折線ｉを介して折込みフラップ２０が連設されており、前面パネル１４の下辺には折線ｊを介して底面内側パネル２１が連設され、上辺には折線ｋを介して掩蓋パネル２２が連設されており、側面パネル１５の下辺には折線ｌを介して折込みフラップ２３が連設され、上辺には折線ｍを介して折込みフラップ２４が連設されている。
【００１３】
背面パネル１２には、その下辺中央に半円状のミシン目による押込み部１２ａが区画されており、底面パネル１６には、その押込み部１２ａの両端から、折線ｅに重なって僅かに広がったところを起点として、それぞれ先端のコーナー部に向かう一対の破断線αがハの字状に形成されている。また、上面パネル１７と先端フラップ１８の境界中央には折線ｇから先端パネル１８の方に少し突き出るようにして切込みｘが形成されている。
【００１４】
側面パネル１３の上辺に連設する折込みフラップ２０には、その折線ｉの中央に半円状のミシン目による押込み部２０ａが区画されており、側面パネル１３には、その押込み部２０ａに繋がるようにしてミシン目による破断領域１３ａが上辺から下辺に渡って区画されており、このミシン目に繋がる折込みフラップ１９の折線ｈの中央にもミシン目が形成されている。そして、この破断領域１３ａの形状は、取り出し易さを考慮して図示のごとく左右に膨らんだ凸レンズ状とされている。また、側面パネル１３と折込みフラップ２０との境界にある折線ｉのところには、前面パネル１４寄りの位置にレンズ状の押罫により取っ掛かり部分２５が区画されている。
【００１５】
前面パネル１４の上辺に連設する掩蓋パネル２２には、これを左右に縦断する破断線βが形成されており、ここでは中央から僅かに前面パネル１４寄りのところに形成されている。また、前面パネル１４と掩蓋パネル２２の境界にある折線ｋは、破断されることを前提としてミシン目で形成されており、この折線ｋの中央には前面パネル１４の方に少し突き出るようにして切込みｙが形成されている。そして、この切込みｙの長さは、上面パネル１７と先端パネル１８の境界中央にある切込みｘより少し大きめに形成されている。
【００１６】
図２のブランクは、糊代フラップ１１の表側を側面パネル１５の端部裏側に貼り合わせたサック貼り状態とされる。そして、このサック貼り状態のブランクを図１の包装箱に組み立てるには、まず、サック貼り状態のブランクを角筒状に起こした後、各側面パネル１３，１５の下辺に連設した折込みフラップ１９，２３を内側に折り曲げてから、底面内側パネル２１と底面パネル１６をこの順で折り曲げて貼り合わせることで底部閉鎖部を形成する。この時、底面パネル１６はその一対の破断線αより外側にある２つの領域のところで底面内側パネル２１と接着する。
【００１７】
このように底部閉鎖部を形成した後、上方から内容物を投入する。ここでは、多数の分包袋Ｐに帯封を施したものと能書Ｎとを一緒に箱の中に収納する。このとき、能書Ｎは帯封を施した分包袋Ｐの上に覆いかぶさるようにセットする（図３参照）。
【００１８】
次いで、各側面パネル１３，１５の上辺に連設した折込みフラップ２０，２４を内側に折り曲げてから、上面パネル１７を折り曲げて先端フラップ１８を差し込むことで蓋をした後、掩蓋パネル２２を折り曲げて上面パネル１７と貼り合わせることで上部閉鎖部を形成する。この時、掩蓋パネル２２の破断線βより外側にある領域のところで上面パネル１７と接着する。そして、上面パネル１７と先端パネル１８の角部には切込みｘにより突部が形成されるが、前面パネル１４と掩蓋パネル２２の角部にも切込みｙにより突部が形成され、こららの突部の方が僅かに大きいので、切込みｘによる突部は切込みｙによる突部に入り込むことになり、掩蓋パネル２２を折り曲げる際に切込みｘによる突部が邪魔にならないようになっている。
【００１９】
このようにして、図１に示す外観で中に内容物が入った横置きタイプの包装箱、すなわち、前面パネル１４と背面パネル１２と左右の側面パネル１３，１５とにより胴部が形成され、その胴部の上下に上部閉鎖部と下部閉鎖部とが形成された包装箱が作製される。なお、上部閉鎖部と下部閉鎖部はいずれを先に形成してもよい。なお、サック貼り状態のブランクに対する充填工程は、従来の包装箱と同じであるので、既存の充填機をそのまま使用して実施することができる。
【００２０】
図１の包装箱を開封するには、上部閉鎖部を開ける。すなわち、凸レンズ状の破断領域１３ａのある側面パネル１３とその上辺に連設する上面パネル１７との境界には、窪んだレンズ状の取っ掛かり部分２５が形成されているので、ここから指を掛けるようにして掩蓋パネル２２を引き上げることにより、掩蓋パネル２２における破断線βと折線ｋの間の部分を破断除去する。この時、掩蓋パネル２２における破断線βから外側の部分は上面パネル１７に貼り付いたままの状態になる。そして、先端フラップ１８を外して上面パネル１７を持ち上げることにより、図３に示す如く包装箱の上部が開けられる。この開封状態で中の能書Ｎを取り出し、さらには分包袋Ｐを取り出すことができる。
【００２１】
図３のように上面パネル１７を持ち上げて包装箱を開封すると、左右の側面パネル１３，１５に連設する折込みフラップ２０，２４が出現する。そこで、折込みフラップ２０の押込み部２０ａから側面パネル１３の破断領域１３ａまでをミシン目に沿って破断除去する。これにより、折込みフラップ２０の押込み部２０ａから側面パネル１３の下部まで連続する凸レンズ状の開口を形成することができる。このように、上面パネル１７を開けないと、側面パネル１３の破断領域１３ａを開けることができないようになっている。
【００２２】
側面パネル１３に開口を形成した後、図４に示すように、先端フラップ１８を差し込んで上面パネル１７が閉じた状態にする。この開封状態で、側面パネル１３の開口から分包袋Ｐを一つずつ取り出すことができる。この場合、図４に示す如く開口を上にして縦置きにすると、図５に示すように、包装箱を置いた状態のままで中の分包袋Ｐを取り出すことができる。しかも、能書Ｎが入ったまま、分包袋を取り出すことができる。また、薬箱や引出しの中に縦置きで入れておけば、周りに他の薬類が在っても、包装箱を薬箱や引出しから一々取り出すことなく分包袋Ｐを取り出すことができる。
【００２３】
なお、この実施形態の包装箱は、使用した後、背面パネル１２の下部にある押込み部１２ａから底面パネル１６を一対の破断線αのところで破断することができ、これにより容易に減容化することができる。
【００２４】
以上、本発明の実施形態について詳細に説明してきたが、本発明による包装箱は、上記した実施形態に何ら限定されるものではなく、本発明の趣旨を逸脱しない範囲において種々の変更が可能である。
【００２５】
例えば、上部閉鎖部と下部閉鎖部の構造は実施態様に限るものではなく、必要に応じて種々の形式のものにすることができる。また、包装箱の外観は、実施形態のような横置きタイプに限るものではなく、収納するものによっては縦置きタイプにすることを妨げるものではない。
【００２６】
また、上記の実施形態では、片方の側面パネルに凸レンズ状の破断領域を設けるようにしたが、上辺から下辺に渡って区画されていさえすれば破断領域の形状は問わないし、両方の側面パネルに破断領域を設けるようにすることも可能である。
【産業上の利用可能性】
【００２７】
本発明の包装箱は、実施形態で説明したような粉状や粒状の医薬品を封入した分包袋を多数収納する用途ばかりでなく、各種サプリメントを封入した分包袋やティーバッグなどを収納して販売するような用途にも適用することができる。
【符号の説明】
【００２８】
１１  糊代フラップ
１２  背面パネル
１２ａ  押込み部
１３  側面パネル
１３ａ  破断領域
１４  前面パネル
１５  側面パネル
１６  底面パネル
１７  上面パネル
１８  先端フラップ
１９，２０  折込みフラップ
２０ａ  押込み部
２１  底面内側パネル
２２  掩蓋パネル
２３，２４  折込みフラップ
２５  取っ掛かり部分
Ｐ  分包袋
Ｎ  能書
ａ〜ｍ  折線
ｘ，ｙ  切込み
α，β  破断線
【図１】
2015217973.tif 000003
【図２】
2015217973.tif 000004
【図３】
2015217973.tif 000005
【図４】
2015217973.tif 000006
【図５】
2015217973.tif 000007